(57)【特許請求の範囲】
【請求項１】
散布用導出口（１５）を開閉すべく揺動自在に配設されたシャッター（２０）を備え、該シャッター（２０）の左右両端には、前記導出口（１５）の左右開口端面（１５ｂ、１５ｂ）に摺接し、開閉時に該端面（１５ｂ、１５ｂ）に対して鋏の如く揺動し、全閉時に上端部が前記導出口（１５）より上方に突出する板状縦辺部（２３ａ、２３ａ）が設けられていることを特徴とする調量装置。
【請求項２】
前記板状縦辺部（２３ａ、２３ａ）は、金属製とされていることを特徴とする請求項１に記載の調量装置。
【請求項３】
前記シャッター（２０）の先端部分に、全閉時に前記導出口（１５）の前側開口端縁部（１５ａ）に弾発的に圧接せしめられるゴム等からなる板状の弾性閉切部（２８）が設けられていることを特徴とする請求項１又は２に記載の調量装置。
【請求項４】
前記弾性閉切部（２８）は、前記シャッター（２０）の本体部（２０Ａ）に対して所定角度（γ）だけ予め上向きに傾斜せしめられていて、全閉時には、前記前側開口端縁部（１５ａ）に下側から圧接して前記本体部（２０Ａ）と平行になるように弾性変形せしめられることを特徴とする請求項３に記載の調量装置。
【請求項５】
前記弾性閉切部（２８）は、断面Ｌ形の閉切面部（２８ａ）を有していることを特徴とする請求項３又は４に記載の調量装置。
【請求項６】
前記シャッター（２０）は、多量散布用の前記導出口（１５）を開閉すべく揺動自在に配設されるとともに、前記シャッター（２０）に形成された少量散布用の小導出口（２５）を開閉すべく揺動自在に配設された小シャッター（３０）が大きな前記シャッター（２０）を支承し、前記小シャッター（３０）は、その揺動角度が少量散布時最大揺動角度（α）に達するまでは、前記大シャッター（２０）を閉位置から揺動させぬように支承し、前記少量散布時最大揺動角度（α）を越えて揺動せしめられるとき、前記大シャッター（２０）を開方向に揺動させるように構成されていることを特徴とする請求項１から５のいずれか一項に記載の調量装置。
【請求項７】
前記大シャッター（２０）は、矩形板状とされてその中央部付近に矩形の前記小導出口（２５）が形成されるとともに、その基端部（２１）が揺動自在に軸支されており、前記小シャッター（３０）は、前記大シャッター（２０）の下側に配在され、その上部に前記小導出口（２５）を閉じるゴム等からなる弾性閉切部（３３）が設けられるとともに、その下端部付近が調量駆動軸（３５）に固定されていることを特徴とする請求項６に記載の調量装置。
【請求項８】
前記小シャッター（３０）の前記弾性閉切部（３３）の表面にフッ素樹脂シート（３３ａ）が貼着されていることを特徴とする請求項７に記載の調量装置。
【請求項９】
前記大シャッター（２０）の下面側及び／又は前記小シャッター（３０）の前記閉切部（３３）側に、前記小シャッター（３０）の揺動角度が前記少量散布時最大揺動角度（α）に達するまでは、前記大シャッター（２０）を閉位置から揺動させぬように案内する案内部（２４、３３ｂ）が形成されていることを特徴とする請求項７又は８に記載の調量装置。
【請求項１０】
前記案内部（２４、３３ｂ）は、前記小シャッター（３０）の揺動軸線（Ｏ）を中心とした円筒面とされていることを特徴とする請求項９に記載の調量装置。
【請求項１１】
前記大シャッター（２０）及び／又は前記小シャッター（３０）に、該小シャッター（３０）が前記少量散布時最大揺動角度（α）を越えて揺動せしめられるとき、前記大シャッター（２０）を開方向に強制的に揺動させるための連動手段（２７、３４）が設けられていることを特徴とする請求項６から１０のいずれか一項に記載の調量装置。
【請求項１２】
前記小シャッター（３０）に調量駆動軸（３５）を介して調量アーム（４０）が連結され、この調量アーム（４０）の先端側及び基端側に、それぞれ調量操作ロッド（５２）が着脱自在に連結される少量散布用連結部（４１）及び多量散布用連結部（４２、４３）が設けられていることを特徴とする請求項６から１１のいずれか一項に記載の調量装置。
【発明の詳細な説明】
【０００１】
【発明の属する技術分野】
本発明は、粉粒状の肥料や薬剤等（以下、単に薬剤等と称す）を散布するための動力散布機等に使用される調量装置に係り、特に、薬剤等の多量散布時と少量散布時のいずれでも、散布要求量に精度良く調節できるようにされた調量装置に関する。
【０００２】
【従来の技術】
例えば、背負式動力散布機においては、通常、最上部に散布すべき薬剤等を貯留する貯留タンクが配在され、該タンクの底部側（下側）に散布量を調節するための調量装置が配在され、この調量装置により調量されて落下せしめられる薬剤等を、その下側に配在された送風機の吐出口に導いて、該吐出口に連結された噴管等を介して外部に散布するようになっている。
【０００３】
前記調量装置としては、板状のシャッターを揺動自在に軸支し、その揺動角度（導出口に対する開度）を変えることにより調量するようにした揺動式（バタフライ式）のものが主流となっている（例えば、特許文献１参照）。
【０００４】
しかしながら、従来の揺動式の調量装置においては、通常、多量散布時（肥料散布時等）も、少量散布時（１キロ剤散布時等）も、一枚のシャッターの開度を変えることにより調量するようにされている。また、最近では、散布作業効率の向上を図るべく、導出口及びシャッターを大きくすることが要求されて来ている。ところが、従来の調量装置では、多量散布時に要求される散布量を確保できるようになせば、少量散布時には、調量精度が粗くなり、きめ細かな開度調節を行えなくなるという問題があった。
【０００５】
そこで、前記問題を解消すべく、本発明の出願人は、先に、多量散布用の大導出口を開閉すべく揺動自在に配設された大シャッターと、該大シャッターを支承し、かつ、該大シャッターに形成された少量散布用の小導出口を開閉すべく揺動自在に配設された小シャッターと、を備え、該小シャッターは、その揺動角度が少量散布時最大揺動角度に達するまでは、前記大シャッターを閉位置から揺動させぬように支承し、前記少量散布時最大揺動角度を越えて揺動せしめられるとき、前記大シャッターを開方向に揺動させるように構成した調量装置を提案した（特許文献２参照）。
【０００６】
係る調量装置においては、前記大シャッターは、好ましくは、矩形板状とされて、その中央部付近に矩形の前記小導出口が形成されるとともに、その基端部が揺動自在に軸支されており、前記小シャッターは、好ましくは、前記大シャッターの下側に配在され、その上部に前記小導出口を閉じる小閉切部（閉面部）が設けられるとともに、その下端部付近が調量駆動軸に固定されている。
【０００７】
【特許文献１】
実公平４−１７２９５号公報（第２頁、図１、図２）
【特許文献２】
特開２００２−３５６５１号公報（第１〜６頁、第２図〜第８図）
【０００８】
【発明が解決しようとする課題】
しかしながら、前記した如くの従来の揺動式の調量装置においては、次のような問題があった。
すなわち、導出口を板状のシャッターで開閉する構造となっており、該構造は、前記シャッター全閉時には、前記導出口の開口内周端面と前記シャッターの外周端面（閉切幅は前記シャッターの板厚に相当する）とを対接せしめて、前記導出口を閉切るようにされているので、前記シャッターを開いた状態から全閉（閉切り）にするとき、前記導出口の開口内周端面と前記シャッターの外周端面との間に、散布物である薬剤等が多量に噛み込まれやすく、その結果、シャッターが円滑に開閉できない、あるいは、完全には閉まり切らない等の問題が生じ、開閉操作性、シール性、及び調量性能の低下を招いていた。
【０００９】
本発明は、前記した如くの問題に鑑みてなされたもので、その目的とするところは、シャッターを円滑に開閉できて確実に閉切ることができ、もって、開閉操作性、シール性、及び調量性能の向上を図ることができるようにされた調量装置を提供することにある。
【００１０】
【課題を解決するための手段】
前記の目的を達成すべく、本発明に係る調量装置は、散布用導出口を開閉すべく揺動自在に配設されたシャッターを備え、該シャッターの左右両端には、前記導出口の左右開口端面に摺接し、開閉時に該端面に対して鋏の如く揺動し、全閉時に上端部が前記導出口より上方に突出する板状縦辺部が設けられている。
前記板状縦辺部は、好ましくは、ステンレス等の耐腐蝕性の金属製とされる。
【００１１】
他の好ましい態様では、前記シャッターの先端部分に、全閉時に前記導出口の前側開口端縁部に弾発的に圧接せしめられるゴム等からなる板状の弾性閉切部が設けられる。
【００１２】
前記弾性閉切部は、好ましくは、前記シャッターの本体部に対して所定角度だけ予め上向きに傾斜せしめられていて、全閉時には、前記前側開口端縁部に下側から圧接して前記本体部と平行になるように弾性変形せしめられる。
前記弾性閉切部は、好ましくは、断面Ｌ形の閉切面部を有するものとされる。
【００１３】
このような構成とされた本発明に係る調量装置の好ましい態様においては、前記シャッターを開いた状態から閉方向に揺動させると、前記シャッターの左右両端に設けられた板状縦辺部（の外側面）が、前記導出口の左右開口端面に対して、鋏の如くに摺接せしめられ、前記板状縦辺部と前記左右開口端面との間に存在する散布物である薬剤等が、前記板状縦辺部で確実に押し切られて、その左右に振り分けられるので、前記板状縦辺部と前記左右開口端面との間に薬剤等が噛み込まれにくくなる。
【００１４】
そのため、従来の、前記板状縦辺部が設けられていないシャッターを用いた場合に比して、前記導出口の前記左右開口端面と前記シャッターの左右端面（前記板状縦辺部）との間に噛み込まれる薬剤等の量が少なくなるので、前記シャッターを円滑に開閉できて確実に閉切ることができ、その結果、開閉操作性、シール性、及び調量性能の向上が図られる。さらに、前記板状縦辺部は、前記シャッターの補強部材、及び、揺動案内部材としての役目も果たす。
【００１５】
また、前記シャッターの先端部分に、ゴム等からなる板状の弾性閉切部を設けることにより、前記導出口の前側開口端縁部と前記シャッターの先端部分（前記弾性閉切部）との間に薬剤等が噛み込まれても、前記弾性閉切部が変形することで、前記シャッターの閉切操作が軽くなる。さらに、前記弾性閉切部が前記シャッターの本体部に対して所定角度だけ予め上向きに傾斜させておくことにより、前記シャッターの全閉時には、前記弾性閉切部が、前記前側開口端縁部に下側から圧接して前記本体部と平行になるように弾性変形せしめられるので、前記導出口の前側開口端縁部に対する前記弾性閉切部の押付力が強くなり、シール性が高められる。また、前記弾性閉切部に断面Ｌ形の閉切面部を形成することにより、シール性が一層高められる。
【００１６】
一方、本発明に係る他の調量装置は、前記した調量装置におけるシャッターが、大シャッターとして多量散布用の大導出口を開閉すべく揺動自在に配設されるとともに、、前記シャッターに形成された少量散布用の小導出口を開閉すべく揺動自在に配設された小シャッターが大きな前記シャッターを支承し、前記小シャッターは、その揺動角度が少量散布時最大揺動角度に達するまでは、前記大シャッターを閉位置から揺動させぬように支承し、前記少量散布時最大揺動角度を越えて揺動せしめられるとき、前記大シャッターを開方向に揺動させるように構成されてなる。
【００１７】
好ましい態様では、前記大シャッターは、矩形板状とされてその中央部付近に矩形の前記小導出口が形成されるとともに、その基端部が揺動自在に軸支されており、前記小シャッターは、前記大シャッターの下側に配在され、その上部に前記小導出口を閉じるゴム等からなる弾性閉切部が設けられるとともに、その下端部付近が調量駆動軸に固定される。
好ましい態様では、前記弾性閉切部の表面にフッ素樹脂被膜が貼着される。
【００１８】
他の好ましい態様では、前記大シャッターの下面側及び／又は前記小シャッターの前記弾性閉切部側に、前記小シャッターの揺動角度が前記少量散布時最大揺動角度に達するまでは、前記大シャッターを閉位置から揺動させぬように案内する案内部が形成される。
前記案内部は、好ましくは、前記小シャッターの揺動軸線を中心とした円筒面とされる。
【００１９】
他の別の好ましい態様では、前記大シャッター及び／又は前記小シャッターに、該小シャッターが前記少量散布時最大揺動角度を越えて揺動せしめられるとき、前記大シャッターを開方向に強制的に揺動させるための連動手段が設けられる。
【００２０】
さらに別の好ましい態様では、前記小シャッターに調量駆動軸を介して調量アームが連結され、この調量アームの先端側及び基端側に、それぞれ調量操作ロッドが着脱自在に連結される少量散布用連結部及び多量散布用連結部が設けられる。
【００２１】
このような構成とされた調量装置においては、前記大シャッターにゴム等からなる弾性閉切部が設けられることにより、大きな前記導出口の開口端縁部と前記大シャッター（前記弾性閉切部）との間に薬剤等が噛み込まれても、前記弾性閉切部が変形することで、前記大シャッターを確実に閉切ることができ、さらに、該大シャッターの全閉時には、前記弾性閉切部が、前記大導出口の開口端縁部に下側から弾発的に圧接せしめられるので、前記大導出口の開口端縁部に対する前記弾性閉切部の押付力が強くなり、シール性が高められる。
【００２２】
また、前記小シャッターの前記弾性閉切部の表面にフッ素樹脂被膜を貼着することにより、前記小シャッターの開閉操作時における前記弾性閉切部と前記小導出口の開口端縁部との間の摩擦力（抵抗）が低減され、前記小シャッターの開閉操作が滑らかになる。
【００２３】
【発明の実施の形態】
以下、本発明の実施の形態を、図面を参照しつつ説明する。図１は、本発明に係る調量装置の一実施形態が用いられた、背負式動力散布機の調量装置部概略構成図、図２は、図１のＩＩ−ＩＩ矢視断面図、図３は、図２のＩＩＩ−ＩＩＩ矢視断面図、図４は、本実施形態の調量装置の部分切欠斜視図、図５は、本実施形態の調量装置とそれに付設された調量アーム装置の平面図である。
【００２４】
図１、図２に示される背負式動力散布機１においては、その機体の最上部に、散布すべき粉粒状の薬剤等を貯留する貯留タンク２が配在され、該タンク２の底部側（下側）に、散布量を調節するための、本実施形態の調量装置１０が配在され、この調量装置１０により調量されて落下せしめられる薬剤等を、その下側に配在された案内管５を介して、図示しない空冷２サイクルガソリンエンジンで駆動される遠心式送風機３の吐出口に導いて、該吐出口に連結された、図示しない噴管等を介して外部に散布するようになっている。本実施形態の前記調量装置１０は、前記貯留タンク２と前記案内管５及び前記送風機３との間にパッキン１３、７を介して介装され、それらの外周側には、二つ割り構造の押さえ部材４、４が配設されている。
【００２５】
本実施形態の調量装置１０は、矩形枠状の下部基体枠１１及び上部基体枠１２と、多量散布用の矩形の大導出口１５が形成された、耐腐蝕性金属であるステンレス鋼板よりなる矩形枠状板１４を有し、前記上部基体枠１２の外周鍔状部には、前記パッキン１３が嵌装されており、前記上部基体枠１２は、前記パッキン１３を介して前記下部基体枠１１の上に重ねられ、前記上部基体枠１２の上に、更に、前記矩形枠状板１４が重ねられて、それらの四隅付近に上からねじ込まれた止めねじ１６により、互いに締結固定されている。
【００２６】
前記上部基体枠１２の一端部（図２の右端部）両側付近には、左右一対の比較的短い揺動支軸２２、２２が回動自在に保持され、この揺動支軸２２、２２の内端側面取り部２２ａ、２２ａに、前記大導出口１５を開閉する多量散布用の大シャッター２０の基端部２１の下面側が一体に固定されている。
【００２７】
前記大シャッター２０は、平面視矩形で、中央部に緩やかな窪み２０ａを有する、合成樹脂製本体部２０Ａと、該本体部２０Ａの外周部に一体に嵌め込み成形されたステンレス鋼板等の金属製の溝形板２３と、前記本体部２０Ａの先端側に一体に接着固定された、ゴム等からなる板状の弾性閉切部２８と、からなっている。
【００２８】
前記溝形板２３は、その左右両端に、前記大導出口（１５）の左右開口内周端面（１５ｂ、１５ｂ）に摺接し、その開閉時に該端面（１５ｂ、１５ｂ）に対して鋏の如く揺動し、前記大シャッター２０の全閉時には、上端部が前記大導出口１５より上方に突出する、左右一対の板状縦辺部２３ａ、２３ａが、前記構形板２３の左右両端部を折り曲げて設けられている。
【００２９】
前記弾性閉切部２８は、図２に加えて前記大シャッター２０が開かれた状態を示す図９を参照すればよくわかるように、前記大導出口１５の前側開口端縁部１５ａに対向せしめられる縦面部と、前記前側開口端縁部１５ａの下面に圧接せしめられる下面部と、からなる、断面Ｌ形の閉切面部２８ａを有し、前記本体部２０Ａに対して所定角度γだけ上向きに予め傾斜せしめられていて、前記大シャッター２０の全閉時には、前記前側開口端縁部１５ａに下側から圧接して、前記本体部２０Ａと平行になるように弾性変形せしめられる。
【００３０】
前記大シャッター２０の下側には、該大シャッター２０を支承し、かつ、その中央部付近に形成された、前記大導出口１５よりその開口面積が小さい、少量散布用の矩形の小導出口２５を開閉する、側面視概略扇形の小シャッター３０が配在されている。この小シャッター３０は、下向きコ字状の、合成樹脂製本体部３１を有し、該本体部３１の上辺部に、断面リップ溝形状の嵌着部３２が設けられ、該嵌着部３２に、前記小導出口２５を閉じる、上面が円筒面とされた概略断面横倒しＨ形のゴム製の、弾性閉切部３３が嵌着固定されている。また、前記弾性閉切部３３の表面（前記上面側）には、テフロン（商標名）等のフッ素樹脂シート３３ａが貼着されている。
【００３１】
前記小シャッター３０の前記本体部３１の下端部付近に設けられた左右一対のボス部３１ａ、３１ａには、調量駆動軸３５が嵌挿せしめられて、一体回動できるように、止めねじ３９、３９で互いに固定されている。
【００３２】
前記大シャッター２０の下面側には、前記小シャッター３０の揺動角度が、後述する少量散布時最大揺動角度α（図７参照）に達するまでは、前記大シャッター２０を閉位置から揺動させぬように案内する、前記小シャッター３０の揺動軸線（前記調量駆動軸３５の中心軸線）Ｏを中心とした円筒面の摺接案内面２４が形成されている。
【００３３】
一方、前記小シャッター３０の前記弾性閉切部３３の上面は、前記大シャッター２０に形成された前記摺接案内面２４と同じ曲面の支承案内面（前記フッ素樹脂シート３３ａの上面）３３ｂとなっている。
【００３４】
また、前記大シャッター２０の下面側における、図２において、前記小導出口２５より先端側で、かつ、背面側には、下方に向けて凸部２６（図３参照）が突設され、この凸部２６に、平板の係止板２７がビス２９により固定され、前記小シャッター３０の横辺部３２の一端部（図２において右端部）の背面側には、前記係止板２７に掛合し得るように、円柱係合部３４が横向きに突設されている。前記係止板２７及び前記円柱係合部３４は、前記小シャッター３０が、前記少量散布時最大揺動角度αを越えて揺動せしめられるとき（図９参照）、前記大シャッター２０を開方向に強制的に揺動させるための連動手段として機能する。
【００３５】
一方、本実施形態の調量装置１０には、前記小シャッター３０及び前記大シャッター２０を揺動させてその開度を調節すべく、図１に示される如くに、手動操作レバー９０と、該手動操作レバー９０により昇降せしめられる調量操作ロッド５２を含む調量アーム装置５０と、が付設されている。前記手動操作レバー９０には、握り部９１と、支持具９５に揺動自在に支持されたクランク部９２と、が設けられ、このクランク部９２の先端部９３に、前記調量操作ロッド５２の下端雄ねじ部５２ｂ（図１０）に螺合せしめられたＬ形連結具５７が、回動自在に嵌合せしめられており、前記手動操作レバー９０の前記握り部９１を、図１において仮想線で示される如くに、手動操作レバー係止位置調節板１００に沿って上方に引くと、前記調量操作ロッド５２が、前記クランク部９２により上方に押し上げられるようになっている。
【００３６】
前記調量アーム装置５０は、図１、図５に加えて図１０、図１１を参照すればよくわかるように、先端部５２ａが横向きに折り曲げられた前記操作ロッド５２と、前記調量装置１０の前記小シャッター３０を、前記調量駆動軸３５を介して駆動すべく、該調量駆動軸３５の一端部にその基端部４０ａが一体回動可能に固着された調量アーム４０と、ロック手段５１と、からなっている。
【００３７】
前記調量アーム４０は、前記調量操作ロッド５２の前記横向き先端部５２ａが選択的に挿入される、複数の係止孔４１、４２、４３がその長手方向に沿って形成されている。前記調量アーム４０の自由端側に位置する外側係止孔４１は、少量散布用連結部を構成し、前記基端部４０ａ側に位置する中間係止孔４２、及び内側係止孔４３は、それぞれ最大吐出量が異る多量散布用連結部を構成する。前記調量操作ロッド５２の前記横向き先端部５２ａが、前記中間及び内側係止孔４２、４３に挿入係止されているときは、前記外側係止孔４１に挿入係止されているときより、前記手動操作レバー９０及び前記調量操作ロッド５２の操作量（押し上げ量）が同じである場合、前記調量アーム４０、前記調量駆動軸３５、及び前記小シャッター３０の揺動角度が、小量散布時最大揺動角度αより増大せしめられる。
【００３８】
前記ロック手段５１は、前記横向き先端部５２ａを、前記各係止穴４１、４２、４３に対して抜けないようにロックするとともに、このロックをワンタッチで解除するためのもので、前記横向き先端部５２ａに装着され、前記調量アーム４０の一面４０ｂ側に対面せしめられる上側固定部材７０と、前記操作ロッド５２のロッド部５２Ａに摺動自在に外嵌され、前記調量アーム４０の他面４０ｃ側に対面せしめられる抜止片部６６が設けられた下側可動部材６０と、該下側可動部材６０と前記操作ロッド５２との間に配設された付勢部材としての圧縮コイルばね５５と、を有し、前記下側可動部材６０を、前記圧縮コイルばね５５の付勢力に抗して押し下げることにより、前記抜止片部６６が、ロック解除位置に移動せしめられ（図１１参照）、前記下側可動部材６０を解放すると、前記圧縮コイルばね５５の付勢力により、前記抜止片部６６が、ロック位置に自動的に移動せしめられるようにされている（図１０参照）。
【００３９】
詳細には、前記上側固定部材７０は、前記ロッド部５２Ａを挟むように外装されるコ字状挟装部７１と、該コ字状挟装部７１から上方に向けて突設され、前記横向き先端部５２ａが挿通せしめられる挿通穴７４が形成された立上片部７３と、からなっている。
【００４０】
また、前記下側可動部材６０は、前記ロッド部５２Ａに摺動自在に外嵌された、前記ロッド部５２Ａが挿通せしめられる挿通穴６３が形成された天井部６２付きの、裾広がり乃至スカート状の筒状つまみ部６１と、該筒状つまみ部６１から上方に向けて突設された前記抜止片部６６と、前記筒状つまみ部６１から上方に向けて突設されて前記コ字状挟装部７１の対向辺部間７１ａ−７１ｂに摺動自在に挿入された回り止片部６５と、からなっている。
【００４１】
前記圧縮コイルばね５５は、前記ロッド部５２Ａに遊嵌されるとともに、前記筒状つまみ部６１内に配在されており、その下端部が、前記ロッド部５２Ａに係止されたＣ形クリップ５３に、ばね受け座金５４を介して係止され、その上端部が前記天井部６２に、前記ロッド部５２Ａが通過自在なばね受け座金５４を介して係止されている。
【００４２】
前記の如くの構成とされた本実施形態の調量装置１０においては、少量散布時には、図６、図７に示される如くに、前記調量操作ロッド５２の前記横向き先端部５２ａが、前記調量アーム４０の少量散布用連結部とされる前記外側係止孔４１に挿入係止されて、前記小シャッター３０は、前記小導出口２５を閉じた位置（図６に示される位置）から、前記手動操作レバー９０及び前記調量操作ロッド５２の操作量（押し上げ量）に応じて揺動せしめられ、その揺動角度に応じた開度分だけ前記小導出口２５を開き、その開度（最大開度θａ）に応じた量の薬剤等が、前記小導出口２５から前記送風機３側に導出されて、前記噴管等を介して外部に散布される。
【００４３】
この少量散布時には、前記調量アーム４０に対する前記調量操作ロッド５２の連結位置（前記調量アーム４０のレバー比）の関係から、前記調量アーム４０及び前記小シャッター３０は、前記小導出口２５を閉じた閉位置から一定の角度範囲（図７に示される少量散布時最大揺動角度α）内でのみ揺動せしめられる。
【００４４】
また、少量散布時には、前記大シャッター２０の下面側及び前記小シャッター３０の前記弾性閉切部３３側に形成された、前記小シャッター３０の前記揺動軸線Ｏを中心とした円筒面とされた前記案内面２４、及び前記支承案内部３３ｂの作用により、前記大シャッター２０はまったく揺動せず、閉位置を維持する。
【００４５】
それに対し、多量散布時には、図８、図９に示される如くに、前記調量操作ロッド５２の前記横向き先端部５２ａが、前記調量アーム４０の前記多量散布用連結部とされる前記内側係止孔４３（又は前記中間係止孔４２）に挿入係止され、前記小シャッター３０は、前記手動操作レバー９０及び前記調量操作ロッド５２の操作量が少量散布時と同じであっても、その揺動角度は増大せしめられる。このため、多量散布時には、前記小シャッター３０は、前記閉位置から前記少量散布時最大揺動角度αを越えて揺動せしめられ、この小シャッター３０の揺動に伴い、後述する如く前記大シャッター２０も、前記調量操作ロッド５２の操作量に応じて、前記大導出口１５を閉じた閉位置（図８参照）からそれを開く方向に揺動せしめられ（図９参照）、その開度（最大開度θｂ）に応じた量の薬剤等が、前記小導出口２５及び前記大導出口１５から前記送風機３側に導出されて、前記噴管等を介して外部に散布される。
【００４６】
すなわち、前記大シャッター２０及び／又は前記小シャッター３０に設けられた連動手段である前記係止板２７と前記円柱係合部３４との係合により、前記小シャッター３０が、前記少量散布時最大揺動角度αを越えて揺動せしめられるとき、前記大シャッター２０が前記小シャッター３０の揺動で連動され、開方向に強制的に揺動せしめられるので、前記大シャッター２０を所要の開度（前記小シャッター３０の多量散布時最大揺動角度β）まで確実に開かせることができる。
【００４７】
このように、本実施形態の調量装置１０では、少量散布時には、大シャッター２０に形成された小導出口２５だけを、小シャッター３０のみで開くようにされ、多量散布時には、前記小シャッター３０を少量散布時より大きく揺動させることによって、前記大シャッター２０を、大導出口１５を開く方向に揺動させるようにされているので、従来の単一シャッターしか備えていない調量装置に比して、多量散布時には、要求される散布量を充分に確保できるとともに、散布作業効率を向上でき、しかも、少量散布時にも、散布量をきめ細かに精度良く調節できる。
【００４８】
また、本実施形態の調量装置１０では、小シャッター３０を介して大シャッター２０を揺動させてその開度を調節するようにされているので、従来の単一シャッター式の調量装置に付設されている調量操作ロッド５２や調量アーム４０等からなる調量アーム装置５０をそのまま使用することができ、調量操作性もさほど変わらないので、違和感を生じることなく調量操作を行えるという利点も得られる。
【００４９】
前記に加え、本実施形態の調量装置１０では、前記大シャッター２０を開いた状態から閉方向に揺動させると、前記大シャッター２０の左右両端に設けられた前記板状縦辺部（の側面）２３ａ、２３ａが、前記大導出口１５の左右開口端面１５ｂ、１５ｂに対して、鋏の如くに摺接せしめられ、前記板状縦辺部２３ａ、２３ａと前記左右開口端面１５ｂ、１５ｂとの間に存在する散布物である薬剤等が、前記板状縦辺部２３ａ、２３ａで効果的に押し切られてその左右に振り分けられるので、前記板状縦辺部２３ａ、２３ａと前記左右開口端面１５ｂ、１５ｂとの間に薬剤等が噛み込まれにくくなる。
【００５０】
そのため、従来の、前記板状縦辺部２３ａ、２３ａが設けられていないシャッターを用いた場合に比して、前記大導出口１５の前記左右開口端面１５ｂ、１５ｂと前記大シャッター２０の左右端面（前記板状縦辺部２３ａ、２３ａ）との間に噛み込まれる薬剤等の量が少なくなるので、前記大シャッター２０を円滑に開閉できて確実に閉切ることができ、その結果、開閉操作性、シール性、及び調量性能の向上が図られる。さらに、前記板状縦辺部２３ａ、２３ａは、前記大シャッター２０の補強部材、及び、揺動案内部材としての役目も果たす。
【００５１】
また、前記大シャッター２０の先端部分に、ゴム等からなる板状の弾性閉切部２８を設けたことにより、前記大導出口１５の前側開口端縁部１５ａと前記大シャッター２０の先端部分（前記弾性閉切部２８）との間に薬剤等が噛み込まれても、前記弾性閉切部２８が変形することで、前記大シャッター２０の閉切操作が軽くなる。さらに、前記弾性閉切部２８を前記大シャッター２０の本体部２０Ａに対して所定角度γだけけ上向きに予め傾斜させておくことにより、前記大シャッター２０の全閉時には、前記弾性閉切部２８が、前記前側開口端縁部１５ａに下側から圧接して前記本体部２０Ａと平行になるように弾性変形せしめられるので、前記大導出口１５の前記前側開口端縁部１５ａに対する前記弾性閉切部２８の押付力が強くなり、シール性が高められる。また、前記弾性閉切部２８に断面Ｌ形の閉切面部２８ａを形成することにより、シール性が一層高められる。
【００５２】
さらに加えて、前記小シャッター３０に、ゴム等からなる弾性閉切部３３を設けたことにより、前記小導出口２５の開口端縁部と前記小シャッター３０（前記弾性閉切部３３）との間に薬剤等が噛み込まれても、前記弾性閉切部３３が変形することで、前記小シャッター３０を確実に閉切ることができ、さらに、前記小シャッター３０の全閉時には、前記弾性閉切部３３が、前記小導出口２５の開口端縁部に下側から弾発的に圧接せしめられるので、前記小導出口２５の開口端縁部に対する前記弾性閉切部３３の押付力が強くなり、シール性が高められる。
【００５３】
また、前記小シャッター３０の前記弾性閉切部３３の表面にフッ素樹脂シートを貼着したことにより、前記小シャッター３０の開閉操作時における前記弾性閉切部３３と前記小導出口２５の開口端縁部との間の摩擦力（抵抗）が低減され、前記小シャッター３０の開閉操作が滑らかになる。
【００５４】
以上、本発明の一実施形態について詳述したが、本発明は、前記実施形態に限定されるものではなく、特許請求の範囲に記載された発明の精神を逸脱しない範囲で、設計において、種々の変更ができるものである。
【００５５】
【発明の効果】
以上の説明から理解されるように、本発明に係る調量装置は、シャッターを円滑に開閉できて確実に閉切ることができ、その結果、開閉操作性、シール性、及び調量性能の向上を図ることができる。
【図面の簡単な説明】
【図１】本発明に係る調量装置の一実施形態が用いられた背負式動力散布機の調量装置部概略構成図。
【図２】図１のＩＩ−ＩＩ矢視拡大断面図。
【図３】図２のＩＩＩ−ＩＩＩ矢視拡大断面図。
【図４】図１に示される調量装置の部分切欠斜視図。
【図５】図４に示される調量装置とそれに付設された調量アーム装置の平面図。
【図６】図４に示される調量装置の少量散布時における、小シャッターが閉位置にある状態を示す断面図。
【図７】図４に示される調量装置の少量散布時における、小シャッターが全開位置にある状態を示す断面図。
【図８】図４に示される調量装置の多量散布時における小シャッター及び大シャッターが閉位置にある状態を示す断面図。
【図９】図４に示される調量装置の多量散布時における小シャッター及び大シャッターが開位置にある状態を示す断面図。
【図１０】図１に示される調量装置に付設された調量アーム装置のロック状態を示し、（Ａ）は縦断面図、（Ｂ）は正面図。
【図１１】図１に示される調量装置に付設された調量アーム装置のロック解除状態を示し、（Ａ）は縦断面図、（Ｂ）は正面図。
【符号の説明】
１０    調量装置
１５    大導出口（散布用導出口）
１５ａ  前側開口端縁部
１５ｂ  左右開口端面
２０    大シャッター（シャッター）
２０Ａ  本体部
２３ａ  板状縦辺部
２１    基端部
２４    摺接案内面（案内部）
２５    小導出口
２７    係止板（連動手段）
２８    弾性閉切部
２８ａ  断面Ｌ形の閉切面部
３０    小シャッター
３３    弾性閉切部
３３ａ  フッ素樹脂シート
３３ｂ  支承案内部（案内部）
３４    円柱係合部（連動手段）
３５    調量駆動軸
４０    調量アーム
４１    外側係止孔（少量散布用連結部）
４２    中間係止孔（多量散布用連結部）
４３    内側係止孔（多量散布用連結部）
５２    調量操作ロッド
α      少量散布時最大揺動角度
γ      弾性閉切部の傾斜角度
Ｏ      揺動軸線
【図１】
0003713481.tif 000002
【図２】
0003713481.tif 000003
【図３】
0003713481.tif 000004
【図４】
0003713481.tif 000005
【図５】
0003713481.tif 000006
【図６】
0003713481.tif 000007
【図７】
0003713481.tif 000008
【図８】
0003713481.tif 000009
【図９】
0003713481.tif 000010
【図１０】
0003713481.tif 000011
【図１１】
0003713481.tif 000012